(57)【要約】【解決手段】ある態様によれば、本発明は、少なくとも１つの第１の観測面の反射により裸眼で観測されることを目的とした光セキュリティ部品に関する。この光セキュリティ部品は、誘電体材料から作られ第１の屈折率（ｎ１）を有する第１の層と、第１の層の上にエッチングされた少なくとも１つの第１の回折構造（Ｓ１、Ｓ２）と、を備える。第１の回折構造は第１のパターンを備える。第１のパターンは、所定の配置方向（Ｘ）に互いに隣接して配置された少なくとも１つのモジュールの組を備える。モジュールの組の各モジュールの配置方向（Ｘ）の最大幅（λ）は、３００μｍより小さい。モジュールの組の各モジュールは、第１のファセットの組を備えた浅浮き彫りを備える。第１のファセットの組の形状は、反射によって視認可能な光学部品を模擬するように決定される。光学部品は、少なくとも１つの凸状領域および／または少なくとも１つの凹状領域を備える。光学部品は、配置方向（Ｘ）と直行する、傾斜の変化方向と呼ばれる方向（Ｙ）に沿って移動したときのみ傾斜が変化する可変傾斜プロファイルを有する。隣接して配置された２つのモジュールに関し、配置方向（Ｘ）に平行な少なくとも１つの線に沿った傾斜は、２つのモジュールの間で異なる。【選択図】図１４Ａ
2020522762.tif 000002
【特許請求の範囲】
【請求項１】
少なくとも１つの第１の観測面の反射により裸眼で観測されることを目的とした光セキュリティ部品であって、
−誘電体材料から作られ第１の屈折率（ｎ１）を有する第１の層と、
−前記第１の層の上にエッチングされた少なくとも１つの第１の回折構造（Ｓ１、Ｓ２）と、を備え、
−前記第１の回折構造は第１のパターンを備え、
前記第１のパターンは、所定の配置方向（Ｘ）に互いに隣接して配置された少なくとも１つのモジュールの組を備え、
前記モジュールの組の各モジュールの前記配置方向（Ｘ）の最大幅（λ）は、３００μｍより小さく、
−前記モジュールの組の各モジュールは、第１のファセットの組を備えた浅浮き彫りを備え、
前記第１のファセットの組の形状は、反射によって視認可能な光学部品を模擬するように決定され、
前記光学部品は、少なくとも１つの凸状領域、および／または、少なくとも１つの凹状領域を備え、
前記光学部品は、前記配置方向（Ｘ）と直行する、傾斜の変化方向と呼ばれる方向（Ｙ）に沿って移動したときのみ傾斜が変化する可変傾斜プロファイルを有し、
−隣接して配置された２つのモジュールに関し、前記配置方向（Ｘ）に平行な少なくとも１つの線に沿った傾斜は、前記２つのモジュールの間で異なり、
前記光学部品は、前記配置方向に平行な軸周りのチルト運動に伴い、反射により動的視覚効果を示し、
当該動的視覚効果は、１つ以上の複合した図形要素の動きを含むことを特徴とする光セキュリティ部品。
【請求項２】
前記モジュールの組は、第１のモジュールサブセットと、第２のモジュールサブセットとを備え、
−前記第１のモジュールサブセットのモジュールにより、少なくとも１つの凹状領域を備えた光学部品を模擬することができ、
−前記第２のモジュールサブセットのモジュールにより、少なくとも１つの凸状領域を備えた光学部品を模擬することができ、
−前記第１のモジュールサブセットのモジュールは、前記第２のモジュールサブセットのモジュールと交互に配置され、
前記光学部品は、チルト運動に伴い、反射により動的視覚効果を示し、
当該動的視覚効果は、２つの直線部分の交差を含むことを特徴とする請求項１に記載の光セキュリティ部品。
【請求項３】
前記モジュールの組は、少なくとも１つの第１のモジュールサブセットを備え、
−前記第１のモジュールサブセットのモジュールにより、光学部品を模擬することができ、
前記光学部品の各々は、少なくとも１つの第１の凹状領域または少なくとも１つの第１の凸状領域を備え、
前記第１の凹状領域または前記第１の凸状領域の各々は、前記配置方向に平行な平坦線を備え、
前記第１のモジュールサブセットの２つの連続したモジュールに関し、前記平坦線は、前記傾斜の変化方向（Ｙ）に対してずらして配置され、
前記光学部品は、チルト運動に伴い、反射により動的視覚効果を示し、
当該動的視覚効果は、斜め直線部分の動きを含むことを特徴とする請求項１または２に記載の光セキュリティ部品。
【請求項４】
前記モジュールの組は、少なくとも１つの第１のモジュールサブセットを備え、
−前記第１のモジュールサブセットのモジュールにより、少なくとも１つの第１の領域を備えた光学部品を模擬することができ、
前記第１の領域は、前記第１のモジュールサブセットのすべてのモジュールに関し凹状であるか、または前記第１のモジュールサブセットのすべてのモジュールに関し凸状であり、
−前記第１のモジュールサブセットの少なくとも２つのモジュールは、異なる傾斜変化関数プロファイルを有し、
前記光学部品は、チルト運動に伴い、反射により、変形しながら動く図形要素の動的視覚効果を示すことを特徴とする請求項１から３のいずれかに記載の光セキュリティ部品。
【請求項５】
前記モジュールの組の少なくとも１つモジュールにより、前記傾斜の変化方向（Ｙ）に沿って変化する傾斜プロファイルを持つ光学部品を模擬することができ、
前記傾斜プロファイルの傾斜は、前記配置方向（Ｘ）に平行な平坦線に関して対称であることを特徴とする請求項１から４のいずれかに記載の光セキュリティ部品。
【請求項６】
前記モジュールの組の少なくとも１つモジュールにより、前記傾斜の変化方向（Ｙ）に沿って変化する傾斜プロファイルを持つ光学部品を模擬することができ、
前記傾斜プロファイルの傾斜は、傾斜が相殺される平坦線に関して非対称であることを特徴とする請求項１から５のいずれかに記載の光セキュリティ部品。
【請求項７】
前記モジュールの組の少なくとも１つモジュールにより、少なくとも１つの凹状領域および少なくとも１つの凸状領域を備えた光学部品を模擬することができることを特徴とする請求項１から６のいずれかに記載の光セキュリティ部品。
【請求項８】
前記モジュールの組のモジュールの各々は、前記傾斜の変化方向（Ｙ）に沿って実質的に一定である幅（λｉ）を持ち、
前記モジュールの少なくとも２つは異なる幅（λ１、λ２）を持つことを特徴とする請求項１から７のいずれかに記載の光セキュリティ部品。
【請求項９】
前記モジュールの組の少なくとも１つのモジュールは、前記傾斜の変化方向（Ｙ）に沿って変化する幅（λ）を持つことを特徴とする請求項１から７のいずれかに記載の光セキュリティ部品。
【請求項１０】
少なくとも部分的に前記第１の層を覆い、可視スペクトル内にある反射のスペクトル帯を持つ第２の層（２１４）をさらに備えることを特徴とする請求項１から９のいずれかに記載の光セキュリティ部品。
【請求項１１】
少なくとも１つの第１の領域において、前記第１のパターンは、第２のパターンによって変形されて周期的な回折格子を形成し、
前記回折格子は、１００ｎｍ以上７００ｎｍ以下の１つまたは２つの周期の寸法を持ち、
前記回折格子は、前記第２の層が堆積した後、第１のスペクトル帯における共鳴フィルタを生成するように決定されることを特徴とする請求項１０に記載の光セキュリティ部品。
【請求項１２】
−前記第２の層の上に堆積した誘電体材料から作られ、第３の屈折率（ｎ３）を有する第３の層をさらに備え、
−前記第２の層は、第２の屈折率（ｎ２）を有する誘電体材料の薄層であり、
第２の屈折率（ｎ２）と第１の屈折率（ｎ１）との差、および第２の屈折率（ｎ２）と第３の屈折率（ｎ３）との差は、０．３以上であり、
−前記第２のパターンは、前記第２の層が堆積し前記第１の回折構造が前記第３の層によって封入された後、反射によるバンドパス共鳴フィルタを形成することを特徴とする請求項１１に記載の光セキュリティ部品。
【請求項１３】
−前記第２の層は、金属材料から作られた４０ｎｍより厚い薄層であり、
−前記第２のパターンは、反射によるバンド阻止共鳴フィルタを形成することを特徴とする請求項１１に記載の光セキュリティ部品。
【請求項１４】
前記第１の回折構造（Ｓ）は、認識可能な図形を形成する輪郭を持つことを特徴とする請求項１から１３のいずれかに記載の光セキュリティ部品。
【請求項１５】
少なくとも１つの第１の観測面の反射により裸眼で観測されることを目的とした光セキュリティ部品の製造方法であって、
−第１の屈折率（ｎ１）を有する材料から作られた第１の層をサポート層の上に堆積するステップと、
−少なくとも１つの第１の回折構造（Ｓ）を前記第１の層の上に形成するステップと、を備え、
・前記第１の回折構造は第１のパターンを備え、
前記第１のパターンは、所定の配置方向（Ｘ）に互いに隣接して配置された少なくとも１つのモジュールの組を備え、
前記モジュールの組の各モジュールの前記配置方向（Ｘ）の最大幅（λ）は、３００μｍより小さく、
・前記モジュールの組の各モジュールは、第１のファセットの組を備えた浅浮き彫りを備え、
前記第１のファセットの組の形状は、反射によって視認可能な光学部品を模擬するように決定され、
前記光学部品は、少なくとも１つの凸状領域、および／または、少なくとも１つの凹状領域を備え、
前記光学部品は、前記配置方向（Ｘ）と直行する、傾斜の変化方向と呼ばれる方向（Ｙ）に沿って移動したときのみ傾斜が変化する可変傾斜プロファイルを有し、
・隣接して配置された２つのモジュールに関し、前記配置方向（Ｘ）に平行な少なくとも１つの線に沿った傾斜は、前記２つのモジュールの間で異なることを特徴とする光セキュリティ部品の製造方法。
【請求項１６】
少なくとも部分的に前記第１の層を覆い、可視スペクトル内にある反射のスペクトル帯を持つ第２の層を堆積するステップをさらに備える請求項１５に記載の光セキュリティ部品の製造方法。
【請求項１７】
請求項１１から１３のいずれかに記載の光セキュリティ部品を認証する方法であって、
−前記光セキュリティ部品を自然光で照射し、偏光子を用いて色付きの効果の局所的消滅を観測するステップ、または、
−前記光セキュリティ部品を線形偏光した光で照射し、色付きの効果の局所的消滅を観測するステップ、を備える光セキュリティ部品を認証する方法。
【発明の詳細な説明】
【技術分野】
【０００１】
本開示はセキュリティマーキングに関し、より具体的には、文書の信頼性確認のための、反射により視認可能な光セキュリティ部品、そのような部品の製造方法、およびそのような部品を与えられた安全な文書に関する。
【背景技術】
【０００２】
文書または製品の認証のための多くの技術、特に紙幣の額面やパスポートその他の身分証明書などの文書を安全化するための技術が知られている。これらの技術は、光セキュリティ部品の製造に適用される。こうした光セキュリティ部品の観測パラメータ（部品の観測軸に対する向き、光源の位置や大きさ、等）としての光学効果は、非常に特徴的で証明可能な構成を備える。これらの光学部品の一般的な目的は、複製の困難な物理構成を基に、新規な異なる光学効果を与えることにある。こうした部品の中で、回折可変画像（一般にホログラムと呼ばれる）を生成する光学部品を実現するために、ＤＯＶＩＤ（回折光可変画像装置）が使われる。
【０００３】
例えば既知の技術として、光学効果の動的変化を示す効果を生み出すものがある。例えば、光の所定の向きおよび／または色のゾーンの運動（しばしば「ローリングバー」と呼ばれる）や、部品のチルト角の変化に起因する運動などがある。その後観測者は、部品が回転したときに画像に沿って動く光、および／または、色のゾーンを観測することができる。これにより、さらなる認証チェックが可能となる。
【０００４】
「ローリングバー」を示すこうした動的な光学効果は、例えば国際公開第２０１５１５４９４３号に、本出願人の名で記載されている。その図面の１つは、本出願で流用される（図１）。上記の出願で開示された光セキュリティ部品は、反射によって視認可能な効果を示す。この光セキュリティ部品は、誘電体材料上にエッチングされた回折構造を備える。この構造は、ファセットの第１の組を持つ浅浮き彫りを備えた第１のパターンを有する。その形状は、一連の凹状または凸状の円柱の光学部品を模擬するように決定され、反射によって視認可能である。この第１のパターンは、サブ波長の回折格子を形成する第２のパターンによって変形される。図１に示されるように、第１の領域１１では、第１のパターンによって一連の凹状の円柱部品１２を模擬することができる。そして第２の領域１２では、第１のパターンによって一連の凸状の円柱部品２２を模擬することができる。さらに、領域１１および１２の各々で、第１のパターンは第２のパターンによって変形される。例えば高い屈折率を持つ誘電体材料の薄いレイヤが堆積され、それぞれ第１および第２のサブ波長フィルタとしての構造が封入された後、領域１１および１２は、それぞれ第１のサブ波長の回折格子および第２のサブ波長の回折格子を形成する。円柱の光学部品１２、２２は、例えば、幅約２ｍｍ、長さ約１２ｍｍの寸法を有するため、裸眼で視認可能である。このような光セキュリティ部品は、円柱部品の主方向Δ１、Δ２に平行な軸の周りに回転させたときに、異なる色で反対方向にスクロールする光の帯１３、２３の動的効果を示す。
【発明の概要】
【発明が解決しようとする課題】
【０００５】
しかしながら既知の先行技術は、ローリングバー型の動的効果のみを示す。本出願は、より複雑な動的視覚効果を示すことのできる、オリジナルな構造を持った光セキュリティ部品を開示する。これにより、異なるメッセージ（すなわち、より認識が容易なメッセージ）を模擬することができ、究極的にはより強固な認証を保証することができる。
【課題を解決するための手段】
【０００６】
第１の態様では、本発明は、少なくとも１つの第１の観測面の反射により裸眼で観測されることを目的とした光セキュリティ部品であって、誘電体材料から作られ第１の屈折率を有する第１の層と、この第１の層の上にエッチングされた少なくとも１つの第１の回折構造と、を備えるものに関する。
【０００７】
第１の態様に係る光セキュリティ部品では、前述の第１の回折構造は、第１のパターンを備える。この第１のパターンは、所定の配置方向に互いに隣接して配置された少なくとも１つのモジュールの組を備える。このモジュールの組の各モジュールの前述の配置方向の最大幅は、３００μｍより小さい。このモジュールの組の各モジュールは、第１のファセットの組を備えた浅浮き彫りを備える。この第１のファセットの組の形状は、反射によって視認可能な光学部品を模擬するように決定される。この光学部品は、少なくとも１つの凸状領域または少なくとも１つの凹状領域を備える。この光学部品は、配置方向と直行する、傾斜の変化方向と呼ばれる方向に沿って移動したときのみ傾斜が変化する、可変傾斜プロファイルを有する。さらに隣接して配置された２つのモジュールに関し、配置方向に平行な少なくとも１つの線に沿った傾斜は、前述の２つのモジュールの間で異なる。
【０００８】
誘電体材料から作られた第１の層は、前述の部品の観測スペクトル帯で、少なくとも部分的に透明である。すなわちこの第１の層は、裸眼による観測に関し可視スペクトル内にある。「少なくとも部分的に透明な層」とは、観測スペクトル帯の波長において、少なくとも７０％、好ましくは８０％の透過率を有する層として定義される。
【０００９】
このような光セキュリティ部品は、前述の配置方向に平行な軸周りのチルト運動に伴い、反射により動的視覚効果を示す。この動的視覚効果は、前述のモジュールの配置による機能である。この動的視覚効果は、１つ以上の複合した図形要素の動きを含む。このような動きの例として、異なる速度で同じ方向にまたは反対方向に「動く」２つの直線部分の交差がある。（および／または）別の例として、配置方向に対する斜め直線部分の動きがある。この複雑な動的視覚効果は、前述の視覚効果を得るために必要なモジュールの設計および製造により、単純な水平ローリングバーに比べより安全な認証およびより強い技術的バリアを提供する。
【００１０】
チルト運動は、モジュールの配置方向に平行な軸周りの部品の回転を意味するものと理解される。チルト角は、観測の基準位置の周りで、通常は＋／−４５°、好ましくは＋／−３０°である。観測の基準位置は、例えば垂直照明下での観測に関し、部品の法線方向と垂直方向とのなす角が４５°となるように傾けた部品で定義される。
【００１１】
部品の最大幅が３００μｍより小さいため、各モジュールは裸眼では区別できない。これにより観測者は、視覚効果を連続的な直線または曲線として認識する。こうして観測者は、直線部分または微細な直線部分を配置して形成された曲線を認識する。実際には、第１の構造が裸眼で見えるように、モジュールの最大幅から定められた最小の数のモジュールを与えることができるだろう。こうして実際には、第１の構造の最小寸法は、１ｍｍより大きく、好ましくは２ｍｍより大きく、より好ましくは５ｍｍより大きいように与えられるだろう。
【００１２】
１つ以上の典型的な実施の形態によれば、多色回折を実現するため、第１のパターンを形成するファセットの高さは、同じ観測角で回折の複数の次数に適するように決定される。言い換えれば、同じ回折の次数を導出する（または同じ回折の次数から導出されない）複数の波長を持つ回折であり、実質的に同じ観測角度、すなわち２°より小さい、好ましくは１°より小さい観測角度を持つものを実現するように決定される。複数の回折の次数により、これを加算合成することにより、観測者の目にとって「白」または「無色の」効果を生み出すことができる。
【００１３】
１つ以上の典型的な実施の形態によれば、前述のモジュールの組のモジュールの各々は、傾斜の変化方向に沿って実質的に一定の幅を持つ。すべてのモジュールが同じ幅を持ってもよいし、これらのモジュールのうちの少なくとも２つが異なる幅を持ってもよい。異なる幅を持つモジュールにより、動く図形要素であって、反射により異なる明るさを示すものを生成することができる。
【００１４】
１つ以上の典型的な実施の形態によれば、前述のモジュールの少なくとも１つは、傾斜の変化方向沿って変化する幅を持つ。このモジュールは、例えば、三角形状またはピラミッド型状その他の任意の非長方形状であってよい。これにより交差消滅視覚効果を、例えば２つの逆ピラミッド型のモジュール間で生成することができる。あるいはこれを顕微鏡で観測することにより、部品の認証レベルを向上させることができる。
【００１５】
１つ以上の典型的な実施の形態によれば、モジュールの組は、第１のモジュールサブセットと、第２のモジュールサブセットとを備える。第１のモジュールサブセットのモジュールにより、少なくとも１つの凸状領域を備えた光学要素を模擬することができる。第２のモジュールサブセットのモジュールにより、少なくとも１つの凹状領域を備えた光学要素を模擬することができる。第１のモジュールサブセットのモジュールは、第２のモジュールサブセットのモジュールと交互に配置される。
【００１６】
こうしたモジュールの配置により、チルト運動に伴い、反射によりオリジナルな動的視覚効果を示す光セキュリティ部品を形成することができる。この動的視覚効果は、２つの直線部分の交差を含む。
【００１７】
さらに、第１および第２のモジュールサブセットのモジュールを交代させることにより、観測者は、サブセットの各々に同時にリンクした効果を知覚する。
【００１８】
１つ以上の典型的な実施の形態によれば、モジュールの組は、少なくとも１つの第１のモジュールサブセットを備える。この第１のモジュールサブセットのモジュールにより、光学部品を模擬することができる。この光学部品の各々は、少なくとも１つの第１の凹状領域または少なくとも１つの第１の凸状領域を備える。これら第１の凹状領域または前述の第１の凸状領域の各々は、配置方向に平行な平坦線を備える。さらに、前述の第１のモジュールサブセットの２つの連続したモジュールに関し、平坦線は、傾斜の変化方向に対してずらして配置される。
【００１９】
本明細書内の意味において、平坦線は、モジュールの配置方向に平行な線である。この平坦線上で、モジュールによって模擬された光学部品のプロファイルの傾斜は相殺する。
【００２０】
こうしたモジュールの配置により、チルト運動に伴い、反射によりオリジナルな動的視覚効果を示す光セキュリティ部品を形成することができる。この動的視覚効果は、斜め直線部分のモジュールの配置方向に対する動きを含む。連続したモジュールのずれを制御することにより、複数の部分を持った破線を形成することができる。
【００２１】
１つ以上の典型的な実施の形態によれば、前述の第１のモジュールサブセットの複数の連続したモジュールに関し、平坦線は、傾斜の変化方向に対して３００μｍより小さなオフセットを持ってずらして配置される。これは、連続した線として見える視覚効果を観測者に与えることを目的とする。オフセット（例えば配置方向に直行する軸に沿って連続的に変化するオフセット）の方向と大きさを制御することにより、曲線を生成することができる。
【００２２】
１つ以上の典型的な実施の形態によれば、モジュールの組は、少なくとも１つの第１のモジュールサブセットを備える。第１のモジュールサブセットのモジュールにより、以下のような光学部品を模擬することができる。すなわちこの光学部品は、第１のモジュールサブセットのすべてのモジュールに関し少なくとも１つの第１の凹状領域、および／または、第１のモジュールサブセットのすべてのモジュールに関し少なくとも１つの第１の凸状領域を備える。第１のモジュールサブセットのモジュールの少なくとも２つにより、異なる傾斜変化関数プロファイルを有する。
【００２３】
こうしたモジュールの配置により、チルト運動に伴い、反射によりオリジナルな動的視覚効果を示す光セキュリティ部品を形成することができる。この動的視覚効果は、変形する図形要素の動きを含む。
【００２４】
目的とする視覚効果に応じて、第１の態様に係る光セキュリティ部品のモジュールの組は、少なくとも１つの凸状領域、および／または、少なくとも１つの凹状領域を有する、異なる光学部品を模擬するように設計されてよい。
【００２５】
こうして、１つ以上の典型的な実施の形態によれば、モジュールの少なくとも１つにより、傾斜の変化方向に沿って変化するプロファイルを有し、配置方向に平行な平坦線に対して（絶対値で）対称である光学部品を模擬することができる。傾斜関数の対称性により、正または負の角度を持つことによる機能としての視覚効果の対称性を備えた、１つ以上の図形要素の通常の動きの効果を模擬することができる。
【００２６】
１つ以上の典型的な実施の形態によれば、モジュールの少なくとも１つにより、傾斜の変化方向に沿って変化するプロファイルを有し、配置方向に平行な平坦線に対して（絶対値で）非対称である光学要素を模擬することができる。傾斜関数の非対称性により、光学要素の基準位置（チルト０）からのいずれかの側への動き関する速度変化の効果を模擬することができる。
【００２７】
１つ以上の典型的な実施の形態によれば、モジュールの少なくとも１つにより、少なくとも１つの凹状領域および少なくとも１つの凸状領域を備えた光学要素を模擬することができる。少なくとも１つの凹状領域および少なくとも１つの凸状領域の両方があることにより、これらの組み合わせによる複数の動く図形要素を形成することができる。
【００２８】
１つ以上の典型的な実施の形態によれば、モジュールは、配置方向に直行する方向に追加的に配列される。例えばモジュールの組は、配置方向に直行する方向に所定の回数複製される。これにより、視覚効果を複製することができる。より複雑な視覚効果を得るために、異なるモジュールを配列することもできる。
【００２９】
１つ以上の典型的な実施の形態によれば、光セキュリティ部品はまた、少なくとも部分的に第１の層を覆い、可視スペクトル内にある反射のスペクトル帯を持つ第２の層を備える。この第２の層は例えば、金属層またはいわゆる可変屈折率層である。可変屈折率層は、隣接する層の屈折率と異なる屈折率を有する層であり、好ましくはこの屈折率の差は少なくとも０．３である。
【００３０】
１つ以上の典型的な実施の形態によれば、少なくとも１つの第１の領域において、第１のパターンは第２のパターンによって変形され、周期的なアレイを形成する。この周期は、１００ｎｍ以上７００ｎｍ以下であり、好ましくは２００ｎｍ以上５００ｎｍ以下であり、第２の層が堆積した後、第１のスペクトル帯で共鳴フィルタを生成するように決定される。
【００３１】
このような部品により、動的視覚効果を色効果と組み合わせることができる。さらに裸眼による認証に加えて、偏光による光セキュリティ部品の認証を実現することができる。実際、こうして得られた共鳴フィルタは偏光に感受性がある。光セキュリティ部品を偏光した光で照射し、偏光子を通して観測することにより、色を区別して観測することができる。
【００３２】
１つ以上の典型的な実施の形態によれば、第１のパターンは、第１の領域において第２のパターンによって変形されて第１の周期的なアレイを形成し、第１のパターンは、第２の領域において第２のパターンによって変形されて第２の周期的なアレイを形成する。これにより、第２の層が堆積した後、第１および第２の周期的なアレイは、異なるスペクトル帯で共鳴フィルタを生成する。
【００３３】
１つ以上の典型的な実施の形態によれば、第１のパターンは、第２のパターンによって変形され、隣接して配置された２つのモジュールに関し、共鳴スペクトル帯はこの２つのモジュールの間で異なる。こうした光セキュリティ部品は、配置方向に平行な軸周りのチルト運動に伴い、反射により追加的な動的視覚効果を示す。この視覚効果は、色付きの動的視覚効果であり、前述のモジュールの配置の機能である。第１のパターンのモジュラー配置により、各モジュールの特性を追加的に組み合わせた結果として、オリジナル色を生成することができる。このオリジナル色は、先行技術の光セキュリティ部品では知覚できないこともある。
【００３４】
１つ以上の典型的な実施の形態によれば、第１のパターンは、第２のパターンによって変形される。共鳴スペクトル帯は、少なくとも１つの第１のモジュールの２つの領域で異なる。
【００３５】
１つ以上の典型的な実施の形態によれば、光セキュリティ部品はまた、第２の層の上に堆積した誘電体材料から作られ、第３の屈折率を有する第３の層を備える。第２の層は、第２の屈折率を有する誘電体材料の薄層である。第２の屈折率と第１の屈折率との差、および第２の屈折率と第３の屈折率との差は、少なくとも０．３である。第２の層が堆積し、第１の構造が第３の層によって封入された後、第２のパターンが、反射によるバンドパス共鳴フィルタを形成するために適用される。
【００３６】
１つ以上の典型的な実施の形態によれば、第２の層は、金属材料から作られた４０ｎｍより厚い薄層である。第２のパターンが、反射によるバンド阻止共鳴フィルタを形成するために適用される。
【００３７】
１つ以上の典型的な実施の形態によれば、第１の構造は、認識可能な図形を形成する輪郭を持つ。
【００３８】
１つ以上の典型的な実施の形態によれば、構造の輪郭は、動く図形要素の形状と似た図形を形成する。
【００３９】
第１のパターンが少なくとも１つの第２のパターンを備えるとき、構造は、それぞれが認識可能な形状を持って配列されてよい。
【００４０】
第１の態様に係る光セキュリティ部品は、応用上の要求に応じて、１つ以上の追加的な層を備えてもよい。この（またはこれらの）層は、目的とする視覚効果には寄与しない。
【００４１】
こうして１つ以上の典型的な実施の形態によれば、光セキュリティ部品は、安全な文書または製品に適し、当該光セキュリティ部品を文書または製品に適用するのに適した層（例えば、接着層または硬化接着層）を、観測面と反対の面上にさらに備える。
【００４２】
１つ以上の典型的な実施の形態によれば、光セキュリティ部品はまた、第１の観測面の側に、サポートフィルムを備える。このサポートフィルムは、光セキュリティ部品が文書または製品に適用された後、除去されることが意図される。
【００４３】
１つ以上の典型的な実施の形態によれば、光セキュリティ部品は、紙幣を安全化するためのセキュリティスレッドの製造に適し、第１の観測面上、および／または、第１の観測面と反対の面上に、１つ以上の保護層を備える。
【００４４】
第２の態様によれば、本開示は、第１の態様に係る光セキュリティ部品の製造方法に関する。
【００４５】
こうして本開示は、少なくとも１つの第１の観測面の反射により裸眼で観測されることを目的とした光セキュリティ部品の製造方法に関し、以下を備える。
−第１の屈折率を有する材料から作られた第１の層をサポート層の上に堆積するステップ。
−少なくとも１つの第１の回折構造を第１の層の上に形成するステップ。
・第１の回折構造は第１のパターンを備える。
第１のパターンは、所定の配置方向に互いに隣接して配置された少なくとも１つのモジュールの組を備える。
モジュールの組の各モジュールの配置方向の最大幅は、３００μｍより小さい。
・モジュールの組の各モジュールは、第１のファセットの組を備えた浅浮き彫りを備える。
第１のファセットの組の形状は、反射によって視認可能な光学部品を模擬するように決定される。
光学部品は、少なくとも１つの凸状領域、および／または、少なくとも１つの凹状領域を備える。
光学部品は、配置方向と直行する傾斜の変化方向と呼ばれる方向に沿って移動したときのみ傾斜が変化する可変傾斜プロファイルを有する。
・隣接して配置された２つのモジュールに関し、配置方向に平行な少なくとも１つの線に沿った傾斜は、２つのモジュールの間で異なる。
【００４６】
１つ以上の典型的な実施の形態によれば、前述の製造法は、少なくとも部分的に第１の層を覆い、可視スペクトル内にある反射のスペクトル帯を持つ第２の層を堆積するステップをさらに備える。
【図面の簡単な説明】
【００４７】
本発明のその他の特徴および利点は、下記の図面を参照しながら以下の説明を読むことにより明らかになるだろう。
【図１】すでに説明した通り、先行技術に係る２つのローリングバーを示す図である。
【図２Ａ】本開示の典型的な実施の形態の断面図である。
【図２Ｂ】本開示の典型的な実施の形態の断面図である。
【図３Ａ】本開示に係る光セキュリティ部品のモジュールであり、異なる傾斜プロファイルを持つものを示す図である。
【図３Ｂ】本開示に係る光セキュリティ部品のモジュールであり、異なる傾斜プロファイルを持つものを示す図である。
【図３Ｃ】本開示に係る光セキュリティ部品のモジュールであり、異なる傾斜プロファイルを持つものを示す図である。
【図３Ｄ】本開示に係る光セキュリティ部品のモジュールであり、異なる傾斜プロファイルを持つものを示す図である。
【図４Ａ】本開示に係る光セキュリティ部品のモジュールであり、異なる傾斜プロファイルを持つものを示す図である。
【図４Ｂ】本開示に係る光セキュリティ部品のモジュールであり、異なる傾斜プロファイルを持つものを示す図である。
【図４Ｃ】本開示に係る光セキュリティ部品のモジュールであり、異なる傾斜プロファイルを持つものを示す図である。
【図４Ｄ】本開示に係る光セキュリティ部品のモジュールであり、異なる傾斜プロファイルを持つものを示す図である。
【図５Ａ】本開示に係る光セキュリティ部品のモジュールであり、異なる傾斜プロファイルを持つものを示す図である。
【図５Ｂ】本開示に係る光セキュリティ部品のモジュールであり、異なる傾斜プロファイルを持つものを示す図である。
【図５Ｃ】本開示に係る光セキュリティ部品のモジュールであり、異なる傾斜プロファイルを持つものを示す図である。
【図５Ｄ】本開示に係る光セキュリティ部品のモジュールであり、異なる傾斜プロファイルを持つものを示す図である。
【図６】本開示に係る光セキュリティ部品のモジュールの外形を示す図である。
【図７Ａ】本開示に係る光セキュリティ部品の異なる実施の形態および付随する視覚効果を示す図である。
【図７Ｂ】本開示に係る光セキュリティ部品の異なる実施の形態および付随する視覚効果を示す図である。
【図８Ａ】本開示に係る光セキュリティ部品の異なる実施の形態および付随する視覚効果を示す図である。
【図８Ｂ】本開示に係る光セキュリティ部品の異なる実施の形態および付随する視覚効果を示す図である。
【図９Ａ】本開示に係る光セキュリティ部品の異なる実施の形態および付随する視覚効果を示す図である。
【図９Ｂ】本開示に係る光セキュリティ部品の異なる実施の形態および付随する視覚効果を示す図である。
【図１０Ａ】本開示に係る光セキュリティ部品の異なる実施の形態および付随する視覚効果を示す図である。
【図１０Ｂ】本開示に係る光セキュリティ部品の異なる実施の形態および付随する視覚効果を示す図である。
【図１１Ａ】本開示に係る光セキュリティ部品の異なる実施の形態および付随する視覚効果を示す図である。
【図１１Ｂ】本開示に係る光セキュリティ部品の異なる実施の形態および付随する視覚効果を示す図である。
【図１２Ａ】本開示に係る光セキュリティ部品の異なる実施の形態および付随する視覚効果を示す図である。
【図１２Ｂ】本開示に係る光セキュリティ部品の異なる実施の形態および付随する視覚効果を示す図である。
【図１３Ａ】本開示に係る光セキュリティ部品の異なる実施の形態および付随する視覚効果を示す図である。
【図１３Ｂ】本開示に係る光セキュリティ部品の異なる実施の形態および付随する視覚効果を示す図である。
【図１４Ａ】本開示に係る光セキュリティ部品の典型的な実施の形態であり構造の特定のアウトラインを持つものおよび付随する視覚効果を示す図である。
【図１４Ｂ】本開示に係る光セキュリティ部品の典型的な実施の形態であり構造の特定のアウトラインを持つものおよび付随する視覚効果を示す図である。
【図１５Ａ】本開示に係る光セキュリティ部品の別の実施の形態であり、色付きの動的視覚効果を作るために第２のパターンで第１のパターンを変形するものを示す図である。
【図１５Ｂ】本開示に係る光セキュリティ部品の別の実施の形態であり、色付きの動的視覚効果を作るために第２のパターンで第１のパターンを変形するものを示す図である。
【図１６Ａ】本開示に係る光セキュリティ部品の別の実施の形態であり、色付きの動的視覚効果を作るために第２のパターンで第１のパターンを変形するものを示す図である。
【図１６Ｂ】本開示に係る光セキュリティ部品の別の実施の形態であり、色付きの動的視覚効果を作るために第２のパターンで第１のパターンを変形するものを示す図である。
【図１７Ａ】本開示に係る光セキュリティ部品の別の実施の形態であり、色付きの動的視覚効果を作るために第２のパターンで第１のパターンを変形するものを示す図である。
【図１７Ｂ】本開示に係る光セキュリティ部品の別の実施の形態であり、色付きの動的視覚効果を作るために第２のパターンで第１のパターンを変形するものを示す図である。
【図１８Ａ】本開示に係る光セキュリティ部品の別の実施の形態であり、色付きの動的視覚効果を作るために第２のパターンで第１のパターンを変形するものを示す図である。
【図１８Ｂ】本開示に係る光セキュリティ部品の別の実施の形態であり、色付きの動的視覚効果を作るために第２のパターンで第１のパターンを変形するものを示す図である。
【発明を実施するための形態】
【００４８】
見易さのため、図面上の部品は実寸を示さないことがある。
【００４９】
図２Ａおよび２Ｂに、本開示に係る光セキュリティ部品の２つの例を（部分的な）断面図で示す。
【００５０】
図２Ａに示される光セキュリティ部品２０１は、例えば文書や製品を安全化するためにこれらに適用されることを目的とした光セキュリティ部品を示す。この例では光セキュリティ部品２０１は、サポートフィルム２１１、例えばポリマー材料のフィルム、例えば数１０マイクロメートル（典型的には１５から１００μｍ）のポリエチレンテレフタレート（ＰＥＴ）と、剥離層２１２、例えば、天然または合成ワックスと、を備える。剥離層により、この光セキュリティ部品を安全化されるべき製品または文書に適用した後、サポートフィルム２１１を除去することができる。光セキュリティ部品２０１はまた、誘電体材料から作られ第１の屈折率ｎ１を有する第１の層２１３と、第１のパターンＭ１を有する少なくとも１つの第１の回折構造Ｓ１とを備える。第１の回折構造Ｓ１は第１の層２１３の上にスタンプされるが、この点については後で詳述する。
【００５１】
図２Ａの例では、光セキュリティ部品２０１はまた第２の層２１４を備える。第２の層２１４は、少なくとも部分的に第１の回折構造Ｓ１を覆い、可視スペクトル内にある反射のスペクトル帯を持つ。第２の層２１４は例えば、金属層またはいわゆる屈折率変化層（すなわち、隣の層の屈折率と異なる屈折率を持ち、層２１３と層２１４の屈折率の差は少なくとも０．３である）。層２１４により、入射光を確実に屈折させることができる。
【００５２】
光セキュリティ部品はまた、１つ以上の別の層を備える。この層は光学的機能を持たないが、例えば図２Ａの例に適した接着層２１７である。接着層２１７は例えば熱硬化性を持つ接着層であり、例えば光セキュリティ部品を製品または文書に適用するために使われる。
【００５３】
後述するように、実際に光セキュリティ部品は、層をサポートフィルム２１１の上に積層することによって製造することができる。光セキュリティ部品はその後、接着層２１７を用いて安全化されるべき文書／製品に適用される。選択的にサポートフィルム２１１は、その後例えば剥離層２１２を用いて除去することができる。光セキュリティ部品の主観側面２００は、層２１３のエッチング面と反対側の、第１の層２１３の側にある。
【００５４】
図２Ｂに示される光セキュリティ部品２０２は、例えば紙幣を安全化することを目的とした光セキュリティ部品を示す。光セキュリティ部品２０２は例えば、紙幣の造幣中に紙に組み込まれることが意図されたセキュリティスレッドの一部である。この例では光セキュリティ部品２０２は、前述と同様にセキュリティスレッドの保護フィルムとしても機能するサポートフィルム２１１（１２から２５μｍ）と、図２Ａの例と同様に誘電体材料から作られ第１の屈折率ｎ１を有する第１の層２１３と、第１の層２１３の上にスタンプされる少なくとも１つの第１の回折構造Ｓ２と、第２の層２１４とを備える。第２の層２１４は、少なくとも部分的に第１の回折構造Ｓ２を覆い、可視スペクトル内にある反射のスペクトル帯を持つ。図２Ｂから分かるように、回折構造Ｓ２は、特に第２のパターンＭ２によって変形された第１のパターンＭ１を持つ点で、回折構造Ｓ１と異なる。第２のパターンＭ２によって変形された第１のパターンＭ１は、後に詳述するようにサブ波長の周期的な回折格子を形成する。図２Ｂの例の光セキュリティ部品２０２はまた、層２１５、２１６、２１８の組を備える。層２１５、２１６、２１８はそれぞれ、封入層２１５、選択的な不透明な色付きコントラスト層２１６、保護層２１８（例えば第２のポリマーフィルムまたはラッカー）である。前述の例と同様に、層をサポートフィルム２１１の上に積層することによって製造が可能である。その後、セキュリティスレッドに必要な強度を与えるために、保護層２１８が堆積される。封入層２１５および色付きコントラスト層２１６は選択的であり、単層で形成されてもよい。接着層２１７および層２１５もまた、両方の機能を持つ単層で形成されてもよい。
【００５５】
応用上の要求に応じて図２Ａおよび２Ｂの各例で他の非機能性の層を選択的に追加してもよいこと、図２Ａおよび２Ｂに示される実施の形態の変形の組み合わせが可能であること、特に第１のパターンＭ１を備えるＳ１のタイプの構造または第２のパターンＭ２によって変形された第１のパターンＭ１を備えるＳ２のタイプの構造の各々が、文書または製品への適用を意図された光セキュリティ部品あるいは紙幣の安全化を意図された光セキュリティ部品に同等に使えることが、当業者には理解できるだろう。
【００５６】
選択的に追加された非機能性の層、例えば層２１７あるいは層２１５、２１６、２１８がサポートフィルムとともに透明である場合は、光セキュリティ部品は、生成された光学部品の曲率を反転させて両側から視認できることに注意する。
【００５７】
本開示の１つ以上の実施の形態によれば、第１のパターンＭ１は、所定の方向配置で隣接して配置された少なくとも１つのモジュールを備える。これらの各モジュールの最大幅は、配置方向に沿って３００μｍより小さいものとして定義される。各モジュールは、ファセットの第１の組を有し、少なくとも１つの凹状または凸状領域を有する浅浮き彫りを備える。その形状は、観測面２００から見たときに反射によって視認可能な光学部品を模擬するように決定される。この光学部品は、配置方向と直行する方向（傾斜の変化方向と呼ばれる）に沿って移動したときのみ傾斜が変化する可変傾斜プロファイルを有する。
【００５８】
第１のパターンの形状を決定するために、図３から５に示されるフレネルレンズの形成方法を参照することができる。これらの図は、本開示に係る第１のパターンを形成するために適用されるモジュールの異なる例を示す。
【００５９】
より具体的には、図３Ａから３Ｄに、図３Ｄの断面で示される第１の例であるモジュール３１０を示す。モジュール３１０は、ファセット３２０の組で形成され、反射により視認可能な光学部品３００を模擬するように決定される第１の回折パターンを備える。この光学部品３００は、図３Ａで斜視図が示され、図３Ｃで断面図が示される。図３Ａおよび３Ｃから分かるように、光学部品３００は、Ｙ軸方向（傾斜の変化方向と呼ばれる）に沿って移動したとき、Ｚ軸方向の高さが変化するプロファイルを有する。モジュール３１０は、Ｙ軸（傾斜の変化方向）と直行するＸ軸方向に配置されることが意図される。
【００６０】
図３Ａから３Ｄの例で浮き彫り３１０により複製されようとしている反射光学部品３００は、凹状の反射光学部品、例えば母線が主方向（Ｘ軸と平行な方向）を定義する円柱の一部で形成される、円柱状反射光学部品である。代替的に光学部品は、楕円、放物線その他の対称的な曲線の一部であってもよい。曲線は、所定の回転が与えられたときに期待される視覚効果の変化速度に基づいて選択される。光学部品３００は、平坦線３０１を備える。この平坦線３０１は、傾斜が相殺された線、すなわちｄｚ／ｄｙ＝０の線に相当する。この平坦線３０１は、傾斜の変化方向Ｙに直行する。図３Ｂは光学部品３００の平面図を示す。この図では慣習に従い、最も凹んだ凹状領域が濃い灰色で示され、最も凹んでいない領域が薄い灰色で示される。
【００６１】
図３Ａおよび３Ｄの例では、光学部品３００はまた、縦軸（Δ１で示され、ここでは平坦線３０１に一致する）に関して対称である。
【００６２】
図３Ｄに示されるようなモジュールの配置により、対称的な光学部品が得られ、正または負の回転角を与えたときに観測される対称な効果を得ることができる。
【００６３】
明らかに、図３Ａから３Ｄを用いて説明した凹状の反射部品と似たものとして、凸状の反射部品を与えることもできる。
【００６４】
図４Ａから４Ｄに、図３Ｄの断面で示される第２の例であるモジュール４１０を示す。モジュール４１０は、ファセット４２０の組で形成され、反射により視認可能な光学部品４００を模擬するように決定される第１の回折パターンを備える。この光学部品４００は、図４Ａで斜視図が示され、図４Ｃで断面図が示される。図４Ａおよび４Ｃに示されるように、光学部品４００は、Ｙ軸方向（傾斜の変化方向と呼ばれる）に沿って移動したとき、Ｚ軸方向の高さが変化するプロファイルを有する。モジュール４１０は、Ｙ軸（傾斜の変化方向）と直行するＸ軸方向に配置されることが意図される。
【００６５】
図４Ａから４Ｄの例で浮き彫り３１０により複製される反射光学部品４００は、凸状の領域を備える反射光学部品である。反射光学部品４００は、前述の例と同様に、傾斜が相殺された線に相当する平坦線４０１を備える。しかしながらこの例では、反射光学部品４００は、平坦線４０１に関して対称ではない。図４Ｂは光学部品４００の平面図を示す。この図では慣習に従い、最も凸状の領域が薄い灰色で示され、最も凸状でない領域が濃い灰色で示される。
【００６６】
図４Ｄに示されるようなモジュールの配置により、正または負の回転角を与えたときに観測される非対称な効果を得ることができる。
【００６７】
ここで再び、図４Ａから４Ｄを用いて説明した凸状の反射部品と似たものとして、凹状の反射部品を与えることもできる。
【００６８】
図５Ａから５Ｄに、図５Ｄの断面で示される第３の例であるモジュール４１０を示す。モジュール５１０は、ファセット５２０の組で形成され、反射により視認可能な光学部品５００を模擬するように決定される。この光学部品５００は、図５Ａで斜視図が示され、図５Ｃで断面図が示される。図５Ａおよび５Ｃから分かるように、光学部品５００は、傾斜の変化方向であるＹ軸方向（傾斜の変化方向と呼ばれる）に沿って移動したとき、傾斜が変化するプロファイルを有する。モジュール５１０は、Ｙ軸（傾斜の変化方向）と直行するＸ軸方向に配置されることが意図される。
【００６９】
図５Ａから５Ｄの例で浮き彫り５１０により複製されようとしている反射光学部品５００は、第１の凸状の領域と第１の凹状の領域とを備える反射光学部品である。第１の凸状の領域は、凸状の領域の傾斜が相殺された線に相当する平坦線５０１を備える。第１の凹状の領域は、凹状の領域の傾斜が相殺された線に相当する平坦線５０２を備える。図５Ｂは光学部品５００の平面図を示す。この図でも慣習に従い、最も凸状の領域が薄い灰色で示され、最も凹状の領域が濃い灰色で示される。
【００７０】
図５Ｄに示されるようなモジュールの配置により、以下の様な効果を得ることができる。すなわち、傾斜角−θｍａｘでは２つの光領域が出現し、傾斜角の減少とともに反対方向に移動する。そして傾斜角が最大値である＋θｍａｘになると２つの光領域は合併する。
【００７１】
回折ファセットの組（例えば図３から５に示される、少なくとも１つの凸状領域、および／または、少なくとも１つの凹状領域を備えた反射光学部品を得るためのもの）は、例えば本出願人による国際特許出願２０１１１３８３９４に記載された既知の方法で決定することができる。
【００７２】
光学部品を一定のピッチでメッシュ化してもよい（例えば図３から５に示されるＸＺ平面に平行な等距離の平面の組で）。その後各メッシュで、厚さを減じた浅浮き彫り形状における第１のパターン（そのファセットがそれぞれの面の形状を再現する）を得るために、反射部品の各面を移動することにより第１のパターンの形状が得られる。一定のレベルでスライスの形でメッシュ化してもよい（例えば図３から５に示されるＸＺ平面に平行な等距離の平面の組で）。前述のように、厚さを減じた浅浮き彫り形状における第１のパターン（そのファセットがそれぞれの面の形状を再現する）を得るために、反射部品の各面を移動することにより第１のパターンの形状が得られる。このような実施の形態は、浮き彫りによる模擬で特に有利である。なぜなら、結果として得られる第１のパターンの厚さの変化が抑制されるからである。
【００７３】
一般に、反射によって視認できる少なくとも１つの凹状領域、および／または、少なくとも１つの凸状領域を持った光学部品を模擬するように決定される、ファセットのピッチおよび高さを持つ回折構造を形成するために、２つのアプローチのうちの一方を選ぶことができ、あるいは２つのアプローチを組み合わせることができる。屈折率ｎ１の誘電体材料の第１の層が堆積される回折構造では、ファセット（３２０、４２０、５２０）のピッチおよび高さは回折の法則よって決定される。ピッチは２μｍ以上３００μｍ以下であり、好ましくは３μｍ以上１００μｍ以下であり、好ましくは４μｍ以上５０μｍ以下である。アクロマートな回折を保つため、ファセットの高さは、回折の複数の次数に適するように決定される。例えば第１のパターンのファセットの高さｈは、一般に０．１μｍ以上１０μｍ以下であり、好ましくは０．３μｍ以上５μｍ以下である。各ファセットは長方形にたとえられ、モジュールの幅に相当する長辺と、短辺を持つ。長辺と直行する方向で測ったとき、短辺の寸法は２μｍ以上２０μｍ以下、好ましくは４μｍ以上１０μｍ以下である。回折構造を形成するために、モジュールは数１０から数１０００のファセットを備えてよい。
【００７４】
図３から５に示される本開示に係る光セキュリティ部品の第１のパターンを形成するモジュールはＸＹ平面で実質的に長方形の形状を有するが、他の形状であってもよい。
【００７５】
従って符号６０１から６０７を付された図６は、本開示に係るモジュールの異なる形状を示す。これらのモジュールは上述のものであり、それぞれ配置方向Ｘおよび傾斜の変化方向で定義されたＸＹ平面にある。
【００７６】
例えば、逆ピラミッド形状（例えば６０４、６０５）のモジュールにより、クロスディゾルブ型の視覚効果が得られる。複合形状（６０６、６０７）のモジュールにより、顕微鏡による追加的な認証が可能となる。
【００７７】
これらのモジュールの各々に関し、可変な（６０６から６０６の場合）より大きな寸法Ｌおよび幅ｌを定義することもできる。しかしながらいずれの場合においても、幅の最大値ｌは３００μｍより小さい。長方形のモジュールに関しては、λの好ましい選択は１０μｍ＜λ＜３００μｍであり、好ましくは３０μｍ＜λ＜１００μｍである。Ｌに関しては、好ましい選択は２ｍｍ＜Ｌ＜５０ｍｍであり、好ましくは５ｍｍ＜Ｌ＜２０ｍｍである。各モジュールの最終的な長さは、瞳によって決められてよい。
【００７８】
本開示に係る光セキュリティ部品の１つ以上の典型的な実施の形態によれば、隣接して配置された２つのモジュールに関し、配置方向Ｘに平行な少なくとも１つの線に沿った傾斜は、これら２つのモジュールの間で異なる。本出願人は、配置方向に平行な軸周りのチルト運動の効果に関し、このような光セキュリティ部品が、前述のモジュールの前述の配置の関数として、２つの直線部分および／または斜線部分の動きを表す動的視覚効果を有することを示した。
【００７９】
こうした動的視覚効果の非限定的な例が、図７から１４で示される。
【００８０】
単純化を目的として、図７Ａ、８Ａ、９Ａ、１０Ａ、１１Ａ、１２Ａ、１３Ａ、１４Ａでは、各光セキュリティ部品に関し、前述のいくつかのモジュールの組のみが示される。さらに、前述（図３Ｂ、４Ｂ、５Ｂ参照）の慣習に従い、最も凹状の領域は濃い灰色で示され、最も凸状の領域は薄い灰色で示される。実際には第１のパターンは、図示されるものより多くのモジュールを備えてもよい。特にさらにモジュールは、配置方向と直行して並列することができる。視覚効果を複製する目的で、例えば図示されるモジュールの組は、配置に方向に直行するように、所定の複数の回数、複製されてよい。より複雑な視覚効果を生み出すために、異なるモジュールを並列することもできる。図７Ｂ、８Ｂ、９Ｂ、１０Ｂ、１１Ｂ、１２Ｂ、１３Ｂ、１４Ｂは、光セキュリティ部品が反射によって視認されたとき、さらに前述の配置方向に平行な軸の周りのチルト運動（角度θ）の結果生じる視覚効果を示す。
【００８１】
図９Ａ、１０Ａ、１１Ａ、１２Ａ、１３Ａでは、構造は「瞳化」される。すなわち、光セキュリティ部品において、視覚効果が実質的に長方形の領域（図８Ｂ、９Ｂ、１０Ｂ、１１Ｂ参照）で視認されるように画定される。前述の瞳の輪郭は、図９Ａ、１０Ａ、１１Ａ、１２Ａ、１３Ａには示されていない。図１４Ａでは、構造はやはり瞳化されるが、その仕方は異なる。「瞳化」は、光セキュリティ部品の製造で実現される。これは例えば、所望の瞳を超えるエッチング情報を除去するためのエッチングコンピュータデータへのデジタルフィルタの応用によって実現される。あるいはこれは、入射エッチングビームと光感受性表面との間の光学的登録時に挿入される物理的な瞳によって実現される。
【００８２】
これらの視覚効果を説明するための図は実寸では示されず、部品の実際の観測と比較することにより簡略化される。さらに各図面で示される視覚効果は、組み合わされてもよい。モジュールが凸状で表されるとき、反対方向への動きの効果を凹状のモジュールで得ることができる（逆も然りである）。
【００８３】
図７Ａおよび７Ｂは、本開示に係る光セキュリティ部品の第１の例である光セキュリティ部品７００を示す。
【００８４】
この例ではモジュールの組は、第１のモジュールサブセット７１０と、第２のモジュールサブセット７２０とを備える。第１のモジュールサブセット７１０のモジュール（７１１、７１２）により、凸状領域を有する光学部品を模擬することができる。第２のモジュールサブセット７２０のモジュール（７２１、７２２）によってもまた、凸状領域を有する光学部品を模擬することができる。しかしながら、第２のモジュールサブセット７２０の傾斜の変化のプロファイルは、第１のモジュールサブセット７１０の傾斜の変化のプロファイルと異なる。この例では、第１のモジュールサブセット７１０のモジュール（７１１、７１２）の傾斜の変化は、第２のモジュールサブセット７２０のモジュール（７２１、７２２）の傾斜の変化より急速である。図７Ａに示されるように、例えば第１のモジュールサブセット７１０のモジュールは、第２のモジュールサブセット７２０のモジュールと交互に配置される。この例では、モジュールの平坦線は実質的に平行である。
【００８５】
図７Ｂに示されるように、光学部品は、チルト運動に伴い、反射により変形の動的視覚効果を示す。この動的視覚効果は、部品の回転とは無関係な２つのバー７０１、７０２の動きを含む。バー７０１は第１のサブセットに相当し、第２のサブセットに相当するバー７０２より速く動く。モジュールの傾斜の機能の相違により、中央水平線（傾き０に相当する基準位置）の視覚効果を与えることが可能となる。この中央水平線は、文書が基準位置から傾いたとき分離し、一方の線が他方の線と交差する。これらの線は同じ方向に動くが、その速度は異なる。
【００８６】
図８Ａおよび８Ｂは、本開示に係る光セキュリティ部品の第２の例である光セキュリティ部品８００を示す。
【００８７】
この例ではモジュールの組は、第１のモジュールサブセット８１０と、第２のモジュールサブセット８２０とを備える。第１のモジュールサブセット８１０のモジュール（８１１、８１２）により、少なくとも１つの凸状領域を有する光学部品を模擬することができる。第２のモジュールサブセット８２０のモジュール（８２１、８２２）により、少なくとも１つの凹状領域を有する光学部品を模擬することができる。図８Ａに示されるように、第１のモジュールサブセット８１０のモジュールは、第２のモジュールサブセット８２０のモジュールと交互に配置される。第２のモジュールサブセット８２０のモジュールは、第１のモジュールサブセット８１０のモジュールより薄い。前述の例と同様に、モジュールの平坦線は実質的に平行である。
【００８８】
図８Ｂに示されるように、光学部品は、チルト運動に伴い、反射により動的視覚効果を示す。この動的視覚効果は、２つの直線部分８０１、８０２の交差を含む。直線部分８０１は第１のモジュールサブセット８１０に関連し、直線部分８０２は第２のモジュールサブセット８２０に関連する。この例では、凸状領域を有するモジュールと凹状領域を有するモジュールとが交互に配置されているため、直線部分は反対方向に移動することにより、互いに交差する。モジュールサブセット８２０のモジュールによって占められる領域は、より小さい（モジュールがより薄いため）。直線部分８０２は、直線部分８０１より暗い。
【００８９】
図９Ａおよび９Ｂは、本開示に係る光セキュリティ部品の第３の例である光セキュリティ部品９００を示す。
【００９０】
この例ではモジュールの組は、第１のモジュールサブセット９１１−９１５を備える。第１のモジュールサブセット９１１−９１５により、少なくとも１つの凸状領域を有する光学部品を模擬することができる。第１のモジュールサブセットの２つの連続したモジュールに関し、前述の平坦線は、傾斜の変化方向（Ｙ）に対してずらして配置される。実際に図９Ｂに示されるように、ずらして配置される同一のモジュールを計算することができる。図９Ａおよび９Ｂの例では、モジュールによって形成される構造は、実質的に長方形の光セキュリティ部品を出現させるために「瞳化」される（瞳化は図９Ａには示されない）。
【００９１】
図９Ｂに示されるように、光学部品は、チルト運動に伴い、反射により動的視覚効果を示す。この動的視覚効果は、斜め直線部分９０１の動きを含む。斜め直線とは、モジュールの配置方向Ｘと平行でないことを示す。
【００９２】
２つの連続したモジュールの平坦線間のずれが十分小さければ（典型的には３００μｍより小さい）、観測者には連続的な線が見えるだろう。
【００９３】
図９Ｂの例では、直線部分を示した。しかしながら、平坦線が連続的に変化するずれを持つものであれば、２つの連続したモジュールによって形成された斜めの個別の直線部分を少なくとも１つ備えた任意の形状の曲線であってよい。
【００９４】
図１０Ａおよび１０Ｂは、本開示に係る光セキュリティ部品の第４の例である光セキュリティ部品１０００を示す。
【００９５】
この例ではモジュールの組は、モジュール１０１１−１０１５の第１のモジュールサブセット１０１０を備える。第１のモジュールサブセット１０１０により、少なくとも１つの凸状領域を有する光学部品を模擬することができる。第１のモジュールサブセットの２つの連続したモジュールに関し、前述の平坦線は、傾斜の変化方向（Ｙ）に対してずらして配置される。このモジュールの組は、モジュール１０２１−１０２４の第２のモジュールサブセット１０２０をさらに備える。第２のモジュールサブセット１０２０により、少なくとも１つの凹状領域を有する光学部品を模擬することができる。モジュールの平坦線は実質的に平行である。
【００９６】
図１０Ｂに示されるように、光学部品は、チルト運動に伴い、反射により動的視覚効果を示す。この動的視覚効果は、斜め直線部分１００１の一方向への動きを含む。斜め直線とは、モジュールの配置方向Ｘと平行でないことを示す。この動的視覚効果は、同時に、水平直線部分１００２の反対方向への動きを含む。
【００９７】
図１１Ａおよび１１Ｂは、本開示に係る光セキュリティ部品の第５の例である光セキュリティ部品１１００を示す。この例は図９Ａに示されるものと実質的に似ているが、モジュール１１１１−１１１９が山型を形成するように互いに配置される点で異なる。各モジュールは互いに同じものであるが、ずらして配置される。光学部品は、チルト運動に伴い、反射により動的視覚効果を示す。この動的視覚効果は、図形オブジェクト１１０１（ここでは山型）の動きを含む。図形オブジェクト１１０１は、変形することなく、チルト０に相当する基準位置からいずれかの方へ動く。
【００９８】
図１２Ａおよび１２Ｂは、本開示に係る光セキュリティ部品の第６の例である光セキュリティ部品１２００を示す。
【００９９】
この例では図９Ａおよび９Ｂと同様に、モジュールの組は、モジュール１２１１−１２１９の第１のモジュールサブセットを備える。第１のモジュールサブセットのモジュールにより、少なくとも１つの凸状領域を有する光学部品を模擬することができる。第１のモジュールサブセットの２つの連続したモジュールに関し、前述の平坦線は、傾斜の変化方向（Ｙ）に対してずらして配置される。しかしながらこの例では、第１のモジュールサブセットの少なくとも２つのモジュールは、傾斜の変化方向（Ｙ）に沿った異なる傾斜の変化プロファイルを持つ。
【０１００】
図１２Ｂに示されるように、光学部品は、チルト運動に伴い、反射により動的視覚効果を示す。この動的視覚効果は、図形要素の動きを含む。この図形要素は、動いている間に変形する。図示されるように、この図形要素は、チルト角−θｍａｘ、＋θｍａｘの間で、３つの異なる独立した形をとる。
【０１０１】
形状を変化させながら基準位置からいずれかの方へ動く図形要素の動的視覚効果を組み合わせることもできる。これにより、部品の認証をより強固なものとすることができる。
【０１０２】
本開示に係る光学部品により、複合的な図形要素の動的視覚効果を実現することができる。
【０１０３】
図１３Ａおよび１３Ｂは、本開示に係る光セキュリティ部品の第７の例である光セキュリティ部品１３００を示す。
【０１０４】
この例ではモジュールの組は、第１のモジュールサブセット１３１０を備える。第１のモジュールサブセットのモジュールにより、少なくとも１つの凸状領域を有する光学部品を模擬することができる。第１のモジュールサブセットの２つの連続したモジュールに関し、前述の平坦線は、認識可能な図形サイン「Ｙ」が形成されるように、傾斜の変化方向（Ｙ）に対してずらして配置される。さらにモジュールの組は、第２のモジュールサブセット１３２０を備える。第２のモジュールサブセットによってもまた、少なくとも１つの凸状領域を有する光学部品を模擬することができる。このモジュールの平坦線は、認識可能な図形サイン「Ｆ」が形成されるように、傾斜の変化方向（Ｙ）に対してずらして配置される。この例では各モジュールは互いに同じものであるが、ずらして配置される。
【０１０５】
図１３Ｂに示されるように、光学部品は、チルト運動に伴い、反射により動的視覚効果を示す。この動的視覚効果は、複合的な図形要素１３０１（ＹＦ）の動きを含む。モジュールがすべて同一であるため、図形要素１３０１は動いている間に変形しない。
【０１０６】
この例では、Ｆの水平なバーは、モジュールのはめ込みサブセットを用いて得られる点に注意すべきである。例えば図５Ａから５Ｄで説明したモジュールによっても、この効果を得ることができる。これにより、複数の凹／凸の領域を持つ光学部品を模擬することができる。
【０１０７】
図１４Ａおよび１４Ｂは、本開示に係る光セキュリティ部品の第８の例である光セキュリティ部品１４００を示す。
【０１０８】
この例ではモジュールの組は、モジュール１４１１−１４１９の第１のモジュールサブセット１４１０を備える。第１のモジュールサブセットのモジュールにより、少なくとも１つの凸状領域を有する光学部品を模擬することができる。第１のモジュールサブセットの２つの連続したモジュールに関し、平坦線は、第１の図形要素（この例では、上側に点がある山型）が形成されるように、傾斜の変化方向（Ｙ）に対してずらして配置される。モジュールの組はまた、モジュール１４２１−１４２９の第２のモジュールサブセット１４２０を備える。第２のモジュールサブセットのモジュールにより、少なくとも１つの凹状領域を有する光学部品を模擬することができる。このモジュールの平坦線は、第２の図形要素（この例では、下側に点がある山型）が形成されるように、傾斜の変化方向（Ｙ）に対してずらして配置される。この例では各モジュールは互いに同じものであるが、ずらして配置される。この例では、構造は瞳Ｐを用いて「瞳化」される。瞳「Ｐ」自体が、山型の形状を想起させる。
【０１０９】
図１４Ｂに示されるように、光学部品は、チルト運動に伴い、反射により動的視覚効果を示す。この動的視覚効果は、第１の図形要素１４０１の一方向への動きと、第２の図形要素１４０２の反対方向への動きを含む。
【０１１０】
次に図１５−１８を用いて、色付きの動的視覚効果の非限定的な例を説明する。
【０１１１】
色付きの視覚効果を得るために、光セキュリティ部品は、図２Ｂに示されるように周期的な回折格子を形成する、第２のパターンＭ２によって変形された第１のパターンＭ１を備えてもよい。この回折格子の周期は１００ｎｍ以上７００ｎｍ以下であり、有利には２００ｎｍ以上５００ｎｍ以下である。この周期は、可視スペクトルにおいて、いわゆる「サブ波長」（すなわち、観測に使われる最小の波長より短い）として振る舞う。回折格子は、可視スペクトルで反射する第２の層２１４が堆積した後、第１のスペクトル帯における共鳴フィルタを生成するように決定される。
【０１１２】
第１の典型的な実施の形態によれば、第２の層２１４は、屈折率ｎ２の誘電体材料から作られる。この第２の層２１４は、屈折率ｎ１の誘電体材料から作られた第１の層２１３と、屈折率ｎ３の誘電体材料から作られた同３の層との間に封入される。共鳴フィルタはサブ波長フィルタであり、以下本明細書では「誘電体減算共鳴フィルタ」と呼ぶ。このようなフィルタの例として、本出願人により製造されるＤＩＤＭ（登録商標）（「回折認証デバイス」）がある。第２のパターンは、１つまたは２つの寸法を持つサブ波長回折格子を形成する。このサブ波長回折格子を適用することにより、第２の層内での導波モードの励起が可能となる。これは、反射によるバンドパス共鳴フィルタを形成する。その共鳴スペクトル帯Δλは、第１の波長λ１にセンタリングされる。第２の層２１４は、好ましくは厚さ２０ｎｍ以上２００ｎｍ以下、さらに好ましくは厚さ６０ｎｍ以上１５０ｎｍ以下の薄層を備える。この薄層は第２の屈折率ｎ２を有する。第２の屈折率ｎ２は、第１の屈折率ｎ１および第３の屈折率ｎ３と、少なくとも０．３（好ましくは少なくとも０．５）の差で異なる。１つ以上の実施の形態に従うと、この誘電体の薄層はいわゆる「高屈折率」（「ＨＲＩ」）材料であり、１．８以上２．９以下、好ましくは２．０以上２．４以下の屈折率を有する。第１および第３の誘電体の層（第２の層の両側の層）はいわゆる「低屈折率」材料であり、１．３以上１．８以下、好ましくは１．４以上１．７以下の屈折率を有する。
【０１１３】
第２の典型的な実施の形態によれば、第２の層２１２は、好ましくは４０ｎｍより厚い、金属材料（例えば銀またはアルミニウム）の薄層を備える。第２のパターンＭ２は、１つまたは２つの寸法を持つサブ波長回折格子を形成する。このサブ波長回折格子を適用することにより、反射によるバンド阻止共鳴フィルタを形成することができる。これは反射プラズモンフィルタであり、以下、本明細書では「Ｒ’プラズモン」と呼ぶ。このＲ’プラズモンは、例えば仏国特許出願公開第ＦＲ２９８２０３８Ａ１に開示されている。波長の関数として２％の最大残留伝達を示す目的で、第２の金属層２２は十分厚いことが望ましい。
【０１１４】
図１５から１８に示す例は、例えば、誘電体減算共鳴フィルタ型のまたはＲ’プラズモンタイプ型の構造を備えてよい。誘電体減算共鳴フィルタ型の構造の場合であって、第２のパターンを形成する回折格子が１つの寸法を持つ場合、光セキュリティ部品は追加的な視覚効果、すなわち部品の方位角の変化に伴う色の変化を表すだろう。光学部品は、少なくとも２つのゾーンを持つことが望ましい。これら２つゾーンにおいて、サブ波長回折格子はそれぞれＸ軸およびＹ軸の方向を向く。この場合の誘電体減算共鳴フィルタの認証チェックは、２つの色の交換を照合することからなる。
【０１１５】
図１５Ａおよび１５Ｂは、本開示に係る光セキュリティ部品であって、色付き動的視覚効果を有するものの第１の例である光セキュリティ部品１５００を示す。
【０１１６】
この例ではモジュールの組は、モジュール１５１１、１５１３の第１のモジュールサブセットと、モジュール１５１２、１５１４の第２のモジュールサブセットとを備える。第１のモジュールサブセットのモジュールにより、少なくとも１つの凸状領域を有する光学部品を模擬することができる。その平坦線は実質的に平行である。第２のモジュールサブセットのモジュールにより、少なくとも１つの凹状領域を有する光学部品を模擬することができる。その平坦線は、第１のモジュールサブセット上の平坦線と実質的に平行である。図１５Ａに示されるように、第１のモジュールサブセットのモジュールは、第２のモジュールサブセットのモジュールと交互に配置される。この例では、第１のモジュールサブセットの各モジュールの第１のパターンは、第２のパターンによって変形される。その結果、第１の領域（符号Ｇで示される領域）では第１の色（例えば緑）が形成され、第２の領域（符号Ｒで示される領域）では第２の色（例えば赤）が形成される。さらに、第２のモジュールサブセットの各モジュールの第１のパターンは、第２のパターンによって変形される。その結果、第１の領域（領域Ｇ）では第１の色（例えば緑）が形成され、第２の領域（領域Ｒ）では第２の色（例えば赤）が形成される。図１５Ａで示される例では、２つの領域により、各モジュール上で２つの色を形成することが可能となる。これら２つの色は平坦線によって分離される。第１および第２の色は、それぞれ第１および第２のモジュールサブセットの２つの連続したモジュールの間で反転する。異なる色は、例えば前述の誘電体減算共鳴フィルタまたはＲ’プラズモンフィルタの効果により得ることができる。特にこの効果は、直交方向を向く同一のサブ波長変形回折格子を使うことにより得ることができる。
【０１１７】
図１５Ｂに示されるように、光学部品は、チルト運動に伴い、反射により色付きの動的視覚効果を示す。この色付きの動的視覚効果は、第１の色（緑）の色線１５０１の最初は第１の方向への、その後第２の方向への動きと、第２の色（赤）の色線１５０２の色線１５０１と反対方向への動きとを含む。平坦線上の色は混色（この場合は黄）である点に注意すべきである。これは、第１および第２の色の付加的な合成の結果である。図１６Ａおよび１６Ｂは、本開示に係る光セキュリティ部品であって、色付き動的視覚効果を有するものの第２の例である光セキュリティ部品１６００を示す。
【０１１８】
前述と同様に、モジュールの組は、モジュール１６１１−１６１５の第１のモジュールサブセット１６１０と、モジュール１６２１−１６２４の第２のモジュールサブセット１６２０とを備える。第１のモジュールサブセットのモジュールにより、少なくとも１つの凸状領域を有する光学部品を模擬することができる。その平坦線は実質的にずれている。第２のモジュールサブセットのモジュールにより、少なくとも１つの凹状領域を有する光学部品を模擬することができる。その平坦線は実質的にずれている。前述と同様に、第１のモジュールサブセット１６１０の各モジュールの第１のパターンは、第２のパターンによって変形される。その結果、第１の色（例えば赤）が形成される。第２のモジュールサブセット１６２０の各モジュールの第１のパターンは、第２のパターンによって変形される。その結果、第２の色（例えば緑）が形成される。第１の領域（符号Ｇで示される領域）では第１の色（例えば緑）が形成され、第２の領域（符号Ｒで示される領域）では第２の色（例えば赤）が形成される。さらに、第２のモジュールサブセットの各モジュールの第１のパターンは、第２のパターンによって変形される。その結果、第１の領域（領域Ｇ）では第１の色（例えば緑）が形成され、第２の領域（領域Ｒ）では第２の色（例えば赤）が形成される。異なる色は、例えば前述の誘電体減算共鳴フィルタまたはＲ’プラズモンフィルタの効果により得ることができる。図１６Ａに見られるように、第１のモジュールサブセットのモジュールは、第１のモジュールサブセットのモジュールと交互に配置される。この例は、すべてのモジュールは実質的に同じ幅を持つ。
【０１１９】
図１６Ｂに示されるように、光学部品は、チルト運動に伴い、反射により色付きの動的視覚効果を示す。この色付きの動的視覚効果は、色線１６０１（ここでは緑の線）の１方向への動きと、斜めの色線１６０２（ここでは赤の線）の反対方向への動きとを含む。チルト角０では、２つの線は重ね合わさり、前述のように色は混じり合う。
【０１２０】
前述の例では、モジュールは異なる色の交代であった。
【０１２１】
例７から１４で説明した構造を生成し、この構造の１つ以上の所定の輪郭を持つ第１のパターンを第２のパターンを用いて変形することも可能である。
【０１２２】
図１７Ａでは、モジュールの組は、異なるモジュールサブセット１７１０、１７２０、１７３０、１７４０、１７５０、１７６０を備える。各モジュールサブセットは、図１１Ａの例に従う。各モジュールサブセットは、特定の色を持つ。例えば、モジュールサブセット１７１０、１７３０、１７５０は赤であり、モジュールサブセット１７２０、１７４０、１７６０は緑である。色は、第２のパターンによる第１のパターンの変形によって得られる。第２のパターンは、各サブセットに特有のものである。
【０１２３】
さらに完成した構造は、瞳Ｐを用いて、例えばハート型に「瞳化」される。
【０１２４】
図１７Ｂに示されるように、光学部品１７００は、チルト運動に伴い、反射により色付きの動的視覚効果を示す。この色付きの動的視覚効果は、図形要素１７０１および１７０２の同じ方向への動きを含む。これらの図形要素の各々は山型に形成され、交代する異なる色を持つ。
【０１２５】
図１８Ａでは、図１０Ａに示されるタイプの構造が、第２のパターンによる第１のパターンの変形を備える。第２のパターンは、第１の領域Ｐ１と第２の領域Ｐ２とで異なる。
領域Ｐ２（偏菱形で示される）は、モジュールまたはモジュールサブセットの配置の形とは独立である。
【０１２６】
図１８Ｂに示されるように、光学部品１８００は、チルト運動に伴い、反射により色付きの動的視覚効果を示す。この色付きの動的視覚効果は、図形要素１８０１および１８０２の反対方向への動きを含む。これらの図形要素は、それぞれ斜線および水平線で形成される。これらの線の色は、チルト０の基準位置と、基準位置からいずれかの方に動いた位置との間で変化する。
【０１２７】
本開示に係る光セキュリティ部品の製造方法は、好ましくは以下のステップを備える。
【０１２８】
第１のパターン（第２のパターンによって変形されてもよい）で形成された光学構造（Ｓ１またはＳ２）は、フォトリソグラフィまたは電子ビームリソグラフィにより、感光性サポート（または「フォトレジスト」）の上にレジストされる。ｇａｌｖａｎｏｐｌａｓｔｙ（電鋳）ステップにより、光学構造を堅固な材料（例えばニッケルベース）に転写し、光学構造を備える金属マトリックスまたは「マスター」を製造することができる。
その後光セキュリティ部品の製造は、複製ステップを備える。複製は例えば、誘電体材料から作られ屈折率ｎ１を持つ第１の層２１３（図２Ａ、２Ｂ）（例えば低屈折率層）のスタンピング（熱プレスまたは「ホットエンボス」）、典型的には厚さ数ミクロンのラッカーのスタンピングにより行われる。層２１３は、サポートフィルム２１１、例えば１２μｍ以上１００μｍ以下のポリマー材料のフィルム、例えばＰＥＴ（ポリエチレンテレフタレート）で支えられることが望ましい。複製はまた、ダイイングの前にスタンピングラッカーの層をモールドし、その後紫外線架橋（「ＵＶキャスティング」）することにより行われてもよい。特に紫外線架橋による複製は、深さの大きい構造を再生と、複製の精度の向上を可能とする。一般に複製ステップにおいて、他の任意の既知の高精度複製手法を用いることができる。その後、例えばコーティング手法または紫外線架橋可能なラッカーを用いて、正確に打ち出された層の上に、他の任意の層、例えば反射層２１４、（選択的な）封入層２１５、（選択的な）不透明な色付きコントラスト層２１６（この層は、一様にまたはプリントして堆積することにより、新たなパターンを形成する）、接着またはラッカータイプの層（２１７、２１８）が堆積される。
【０１２９】
いくつかの典型的な実施の形態を説明したが、本発明に係る光セキュリティ部品およびその製造方法が、異なる変形、変更および改造を含むことは当業者に明らかだろう。
これらの異なる変形、変更および改造も、以下の請求項で定義される本発明の範囲に含まれることが理解される。
【図１】
2020522762.tif 000003
【図２Ａ】
2020522762.tif 000004
【図２Ｂ】
2020522762.tif 000005
【図３Ａ】
2020522762.tif 000006
【図３Ｂ】
2020522762.tif 000007
【図３Ｃ】
2020522762.tif 000008
【図３Ｄ】
2020522762.tif 000009
【図４Ａ】
2020522762.tif 000010
【図４Ｂ】
2020522762.tif 000011
【図４Ｃ】
2020522762.tif 000012
【図４Ｄ】
2020522762.tif 000013
【図５Ａ】
2020522762.tif 000014
【図５Ｂ】
2020522762.tif 000015
【図５Ｃ】
2020522762.tif 000016
【図５Ｄ】
2020522762.tif 000017
【図６】
2020522762.tif 000018
【図７Ａ】
2020522762.tif 000019
【図７Ｂ】
2020522762.tif 000020
【図８Ａ】
2020522762.tif 000021
【図８Ｂ】
2020522762.tif 000022
【図９Ａ】
2020522762.tif 000023
【図９Ｂ】
2020522762.tif 000024
【図１０Ａ】
2020522762.tif 000025
【図１０Ｂ】
2020522762.tif 000026
【図１１Ａ】
2020522762.tif 000027
【図１１Ｂ】
2020522762.tif 000028
【図１２Ａ】
2020522762.tif 000029
【図１２Ｂ】
2020522762.tif 000030
【図１３Ａ】
2020522762.tif 000031
【図１３Ｂ】
2020522762.tif 000032
【図１４Ａ】
2020522762.tif 000033
【図１４Ｂ】
2020522762.tif 000034
【図１５Ａ】
2020522762.tif 000035
【図１５Ｂ】
2020522762.tif 000036
【図１６Ａ】
2020522762.tif 000037
【図１６Ｂ】
2020522762.tif 000038
【図１７Ａ】
2020522762.tif 000039
【図１７Ｂ】
2020522762.tif 000040
【図１８Ａ】
2020522762.tif 000041
【図１８Ｂ】
2020522762.tif 000042
【手続補正書】
【提出日】平成31年4月8日(2019.4.8)
【手続補正１】
【補正対象書類名】特許請求の範囲
【補正対象項目名】全文
【補正方法】変更
【補正の内容】
【特許請求の範囲】
【請求項１】
少なくとも１つの第１の観測面の反射により裸眼で観測されることを目的とした光セキュリティ部品であって、
−誘電体材料から作られ第１の屈折率（ｎ１）を有する第１の層と、
−前記第１の層の上にエッチングされた少なくとも１つの第１の回折構造（Ｓ１、Ｓ２）と、を備え、
−前記第１の回折構造は第１のパターンで形成され、
前記第１のパターンは、所定の配置方向（Ｘ）に互いに隣接して配置されたモジュールの組で形成され、
前記モジュールの組の各モジュールの前記配置方向（Ｘ）の最大幅（λ）は、３００μｍより小さく、
前記モジュールの組は、最小の数のモジュールを備え、
前記第１の構造の最小寸法は、１ｍｍより大きく、
−前記モジュールの組の各モジュールは、第１のファセットの組を備えた浅浮き彫りを備え、
前記第１のファセットの組の形状は、反射によって視認可能な光学部品を模擬するように決定され、
前記光学部品は、少なくとも１つの凸状領域、および／または、少なくとも１つの凹状領域を備え、
前記光学部品は、前記配置方向（Ｘ）と直行する、傾斜の変化方向と呼ばれる方向（Ｙ）に沿って移動したときのみ傾斜が変化する可変傾斜プロファイルを有し、
−隣接して配置された２つのモジュールに関し、前記配置方向（Ｘ）に平行な少なくとも１つの線に沿った傾斜は、前記２つのモジュールの間で異なり、
前記光学部品は、前記配置方向に平行な軸周りのチルト運動に伴い、反射により動的視覚効果を示し、
当該動的視覚効果は、１つ以上の図形要素の動きを含むことを特徴とする光セキュリティ部品。
【請求項２】
前記モジュールの組は、第１のモジュールサブセットと、第２のモジュールサブセットとを備え、
−前記第１のモジュールサブセットのモジュールにより、少なくとも１つの凹状領域を備えた光学部品を模擬することができ、
−前記第２のモジュールサブセットのモジュールにより、少なくとも１つの凸状領域を備えた光学部品を模擬することができ、
−前記第１のモジュールサブセットのモジュールは、前記第２のモジュールサブセットのモジュールと交互に配置され、
前記光学部品は、チルト運動に伴い、反射により動的視覚効果を示し、
当該動的視覚効果は、２つの直線部分の交差を含むことを特徴とする請求項１に記載の光セキュリティ部品。
【請求項３】
前記モジュールの組は、少なくとも１つの第１のモジュールサブセットを備え、
−前記第１のモジュールサブセットのモジュールにより、光学部品を模擬することができ、
前記光学部品の各々は、少なくとも１つの第１の凹状領域または少なくとも１つの第１の凸状領域を備え、
前記第１の凹状領域または前記第１の凸状領域の各々は、前記配置方向に平行な平坦線を備え、
前記第１のモジュールサブセットの２つの連続したモジュールに関し、前記平坦線は、前記傾斜の変化方向（Ｙ）に対してずらして配置され、
前記光学部品は、チルト運動に伴い、反射により動的視覚効果を示し、
当該動的視覚効果は、斜め直線部分の動きを含むことを特徴とする請求項１または２に記載の光セキュリティ部品。
【請求項４】
前記モジュールの組は、少なくとも１つの第１のモジュールサブセットを備え、
−前記第１のモジュールサブセットのモジュールにより、少なくとも１つの第１の領域を備えた光学部品を模擬することができ、
前記第１の領域は、前記第１のモジュールサブセットのすべてのモジュールに関し凹状であるか、または前記第１のモジュールサブセットのすべてのモジュールに関し凸状であり、
−前記第１のモジュールサブセットの少なくとも２つのモジュールは、異なる傾斜変化関数プロファイルを有し、
前記光学部品は、チルト運動に伴い、反射により、変形しながら動く図形要素の動的視覚効果を示すことを特徴とする請求項１から３のいずれかに記載の光セキュリティ部品。
【請求項５】
前記モジュールの組の少なくとも１つモジュールにより、前記傾斜の変化方向（Ｙ）に沿って変化する傾斜プロファイルを持つ光学部品を模擬することができ、
前記傾斜プロファイルの傾斜は、前記配置方向（Ｘ）に平行な平坦線に関して対称であることを特徴とする請求項１から４のいずれかに記載の光セキュリティ部品。
【請求項６】
前記モジュールの組の少なくとも１つモジュールにより、前記傾斜の変化方向（Ｙ）に沿って変化する傾斜プロファイルを持つ光学部品を模擬することができ、
前記傾斜プロファイルの傾斜は、傾斜が相殺される平坦線に関して非対称であることを特徴とする請求項１から５のいずれかに記載の光セキュリティ部品。
【請求項７】
前記モジュールの組の少なくとも１つモジュールにより、少なくとも１つの凹状領域および少なくとも１つの凸状領域を備えた光学部品を模擬することができることを特徴とする請求項１から６のいずれかに記載の光セキュリティ部品。
【請求項８】
前記モジュールの組のモジュールの各々は、前記傾斜の変化方向（Ｙ）に沿って実質的に一定である幅（λｉ）を持ち、
前記モジュールの少なくとも２つは異なる幅（λ１、λ２）を持つことを特徴とする請求項１から７のいずれかに記載の光セキュリティ部品。
【請求項９】
前記モジュールの組の少なくとも１つのモジュールは、前記傾斜の変化方向（Ｙ）に沿って変化する幅（λ）を持つことを特徴とする請求項１から７のいずれかに記載の光セキュリティ部品。
【請求項１０】
少なくとも部分的に前記第１の層を覆い、可視スペクトル内にある反射のスペクトル帯を持つ第２の層（２１４）をさらに備えることを特徴とする請求項１から９のいずれかに記載の光セキュリティ部品。
【請求項１１】
少なくとも１つの第１の領域において、前記第１のパターンは、第２のパターンによって変形されて周期的な回折格子を形成し、
前記回折格子は、１００ｎｍ以上７００ｎｍ以下の１つまたは２つの周期の寸法を持ち、
前記回折格子は、前記第２の層が堆積した後、第１のスペクトル帯における共鳴フィルタを生成するように決定されることを特徴とする請求項１０に記載の光セキュリティ部品。
【請求項１２】
−前記第２の層の上に堆積した誘電体材料から作られ、第３の屈折率（ｎ３）を有する第３の層をさらに備え、
−前記第２の層は、第２の屈折率（ｎ２）を有する誘電体材料の薄層であり、
第２の屈折率（ｎ２）と第１の屈折率（ｎ１）との差、および第２の屈折率（ｎ２）と第３の屈折率（ｎ３）との差は、０．３以上であり、
−前記第２のパターンは、前記第２の層が堆積し前記第１の構造が前記第３の層によって封入された後、反射によるバンドパス共鳴フィルタを形成することを特徴とする請求項１１に記載の光セキュリティ部品。
【請求項１３】
−前記第２の層は、金属材料から作られた４０ｎｍより厚い薄層であり、
−前記第２のパターンは、反射によるバンド阻止共鳴フィルタを形成することを特徴とする請求項１１に記載の光セキュリティ部品。
【請求項１４】
前記第１の構造（Ｓ）は、認識可能な図形を形成する輪郭を持つことを特徴とする請求項１から１３のいずれかに記載の光セキュリティ部品。
【請求項１５】
少なくとも１つの第１の観測面の反射により裸眼で観測されることを目的とした光セキュリティ部品の製造方法であって、
−第１の屈折率（ｎ１）を有する材料から作られた第１の層をサポート層の上に堆積するステップと、
−少なくとも１つの第１の回折構造（Ｓ）を前記第１の層の上に形成するステップと、を備え、
・前記第１の回折構造は第１のパターンで形成され、
前記第１のパターンは、所定の配置方向（Ｘ）に互いに隣接して配置されたモジュールの組で形成され、
前記モジュールの組の各モジュールの前記配置方向（Ｘ）の最大幅（λ）は、３００μｍより小さく、
前記モジュールの組は、最小の数のモジュールを備え、
前記第１の構造の最小寸法は、１ｍｍより大きく、
・前記モジュールの組の各モジュールは、第１のファセットの組を備えた浅浮き彫りを備え、
前記第１のファセットの組の形状は、反射によって視認可能な光学部品を模擬するように決定され、
前記光学部品は、少なくとも１つの凸状領域、および／または、少なくとも１つの凹状領域を備え、
前記光学部品は、前記配置方向（Ｘ）と直行する、傾斜の変化方向と呼ばれる方向（Ｙ）に沿って移動したときのみ傾斜が変化する可変傾斜プロファイルを有し、
・隣接して配置された２つのモジュールに関し、前記配置方向（Ｘ）に平行な少なくとも１つの線に沿った傾斜は、前記２つのモジュールの間で異なることを特徴とする光セキュリティ部品の製造方法。
【請求項１６】
少なくとも部分的に前記第１の層を覆い、可視スペクトル内にある反射のスペクトル帯を持つ第２の層を堆積するステップをさらに備える請求項１５に記載の光セキュリティ部品の製造方法。
【請求項１７】
請求項１１から１３のいずれかに記載の光セキュリティ部品を認証する方法であって、
−前記光セキュリティ部品を自然光で照射し、偏光子を用いて色付きの効果の局所的消滅を観測するステップ、または、前記光セキュリティ部品を線形偏光した光で照射し、色付きの効果の局所的消滅を観測するステップ、を備える光セキュリティ部品を認証する方法。
【国際調査報告】
2020522762.tif 000043
2020522762.tif 000044
2020522762.tif 000045
2020522762.tif 000046